(57)【要約】【課題】簡単に着脱出来、繰り返し幾度でも使用出来る傘カバーを提供する。【解決手段】漸大形状の傘カバー１は被包袋２とその被包袋２を収納する収納袋３とよりなり、その被包袋２の任意位置に任意数の巻付帯４を隔着し、更に先端部には圧接体８を取り付ける。【選択図】  図１
2006280862.tif 000002
【特許請求の範囲】
【請求項１】
漸大形状の被包袋２とその被包袋２を収納する収納袋３とよりなり、その被包袋２の任意位置に任意数の巻付帯４を巻着し、更に先端部には圧接体８を取り付けることを特徴とする傘カバー。
【発明の詳細な説明】
【技術分野】
【０００１】  本発明は、濡れ傘の水滴落下及び接触物の濡れを防止する傘カバーに関する。
【背景技術】
【０００２】  従来、濡れ傘の屋内持ち込みにおいて、床への水滴落下や接触物への水滴付着を防止する対策として、備え付けのビニール袋を被着するか、水滴を払拭する装置を利用していた。又、乗り物などに対する対策はとられていなかった。
【発明の開示】
【発明が解決しようとする課題】
【０００３】  ところが、上記ビニール袋を被着した場合、傘を床に突いて歩くなどすると、先端部が破れ水滴が床に溢れ出ていた。又、そのビニール袋は使い捨てのため、使用後の捨て場はゴミの山となっていた。このゴミとなったビニール袋を処理するにはコストがかかり、地球環境にも悪影響を与えていた。水滴を拭き取る装置は設置スペースを必要とし、高価で更にエネルギーを必要とするため非常に経費がかかっていた。乗り物に対する対策はとられていないため、ラッシュ時間では濡れ傘が身体に触れ不快であり、又、床が濡れ、滑って転倒の危険性もあった。【０００４】  本発明は、斯かる事情に鑑みてなされたもので、従来の前記問題を一挙に解決することが出来る傘カバーを提供することを目的とする。
【課題を解決するための手段】
【０００５】  前記目的を達成するために、本発明の傘カバーは先端（傘の石つき先端に当る部分）より漸大形状の被包袋とその被包袋を収納する収納袋とよりなり、その被包袋には任意数の巻付帯が任意位置に巻着されていることを特徴とする。【０００６】  この特徴によれば、この傘カバーの被包袋漸大側端部周縁と収納袋の端部周縁は接合され、被包袋には複数の巻付帯が巻着されていて、その巻付帯の形状は巻着される被包帯の部分の形状と略同形状で、幅は収納時に収納袋に納まる幅で出来、この巻着帯は隔着（一つおきに巻着）されている。又、この被包袋の先端部（漸小側）には傘の石つき部を圧接する圧接体が取り付けられている。【０００７】  上記傘カバーを被着したとき、傘の石つき部はこの傘カバーに取り付けられている圧接体により圧接されている。この傘カバーを外す時は、収納袋を漸小側に引くと、最初の巻付帯がその漸大側の被包袋部を収納袋に押し入れ、共に収納袋内に納まる。更に収納袋を引き続けると、次の巻付帯が漸大側被包袋部を漸大側巻付帯に押し入れ、共に収納袋内に納まる。最終的に圧接体がその漸大側の巻付帯に挿入され収納が完了する。【０００８】  被着した傘カバーを外す過程において、上記のように漸大側から漸小側へ順を追って収納袋に納まらなくても収納袋を漸小側に引き続けると、収納袋先端（傘の石つき部）部に取り付けている圧接体により、これより被包袋漸大側が押さえられ次々と収納袋に納められ、最終的には順を追って収納された状態と同じく収納される。【０００９】  傘カバーを被着するときは、収納袋に納められている被包袋の先端部に傘の石つきを差し、更にその傘を押し込んでいくと巻付帯が巻着されている被包袋が押し出され被着される。
【発明の効果】
【００１０】  以上のように本発明によれば、被着された傘カバーを外すとき、一方の手で傘をもち、もう一方の手でカバーの収納袋部を押えこの収納袋を漸小方向へ引くことにより順次、収納袋に収納される。【００１１】  傘カバーを被着するときは、コンパクトに収納された収納袋に傘の石つき部を差し込み、傘を押し続けると被包袋が収納袋より押し出されながら被着される。【００１２】  収納袋より被包袋が抜け出た状態での被着の場合は従来のビニール袋を使用するときと同じ要領で被着出来る。【００１３】  このように簡単な構造で煩わしさもなく、乗り物などでも使用出来、非常に便利な傘カバーを提供することが出来る。【００１４】  この傘カバーは幾度でも使用出来るので、従来の使い捨てビニールカバーのようにゴミとしての処理は必要なく地球環境に良い結果をもたらす。又、水滴を拭き取る装置などの設置スペースやエネルギーも必要なく経費の節減に寄与する。又、すべての場所で使用出来、通路などでの滑りによる転倒防止にも役立つ。【００１５】  尚、本発明において「被着」とは、傘カバーに傘を挿入する意味である。
【発明を実施するための最良の形態】
【００１６】  本発明の実施の形態を、添付図面に例示した本発明の実施例に基づいて以下に具体的に説明する。【００１７】  添付図面において、図１は本発明の一実施例に係る傘カバーの一例を示す正面図。図２、図３は被着した傘カバーを傘より外す過程を示す一部を破断した正面図。図４は巻付帯を巻着した被包袋が収納袋に収納された状態を示す一部を破断した拡大正面図。図５は被包袋の漸小方向先端部の圧接帯の他例を示す断面図である。【００１８】  先ず、図１〜図４において、本発明のカバー１は接合する漸大形状の被包袋２と収納袋３とより構成され傘５に被着される。【００１９】  前記傘カバー１は、被包袋２の漸大側端周縁と収納袋３の端周縁と接合され、被包袋２には複数の巻付帯４が隔着されている。【００２０】  被包袋２に巻着される漸大側巻付帯４の位置は、被包袋２の接合部より略収納袋３の長さ分の間隔をおいて漸小側へ位置し、これより巻付帯４は漸小側へ隔着され、更に先端部には圧接体８が取り付けられる。【００２１】  巻付帯４の幅は収納時に収納袋３に納まる幅で、その形状は巻着する巻付帯４部の被包袋３の形状と略同形状である。【００２２】  巻付帯４はそれぞれ漸小側端周縁を被包袋２に接着し、残余の部分はただ挿入状態で開放されている。又、被包袋２の先端部（傘の石つき部）には圧接体４が取り付けられている。【００２３】  傘５に被着した傘カバー１の先端（漸小側）部に取り付けた圧接体８が、傘５の石つき６部を圧接していて、収納袋３を漸小側に引くと、この圧接体８から漸大側被包袋２はそれぞれ巻付帯４に挿入され、最終的には圧接体８がその漸大側巻付帯４に挿入され全てが収納袋３に納まる。【００２４】  巻付帯４の漸大側端周縁に締付帯を装着すると、この締付帯が傘５を押圧し滑りにくくなるため、収納時には順次収納袋３に収納される。（示図せず）【００２５】  図５は、被包体２の先端部（漸小側）に石つきカバー７を取り付け、この石つきカバー７は圧接体８を有している。この圧接体８が傘５の石つき６部を圧接するため、収納時ここで漸大側が押えられる。このため、ここより漸大側は次々と収納袋３に収納される。【００２６】  又、この石つきカバー７は傘５を床について歩いても被包袋２の先端部の保護となり破れる心配もない。【００２７】  このように、本発明の傘カバー１は煩わしさもなく簡単に着脱でき非常に便利である。又、使い捨てビニールカバー使用の場合の生産コスト、処理コストも必要なく経費節減にも、地球環境にも寄与する。【００２８】  以上本発明の実施例について説明したが、本発明はその実施例に限定されることなく、本発明の範囲内で種々の実施例が可能である。たとえば、前記実施例では巻付帯４の漸小側周縁を被包袋２に接着しているが全面を接着しても良く、圧着、逢着、溶着など付ける方法は限定されない。
巻付帯４と被包袋２を各々つなぎ合わせても良く、被包袋２の材質を一部変え伸縮材を使用しても良い。又、巻付帯４の漸大側端周縁に装着する締付帯は、ゴム材でも布材でも良く、限定されない。
【図面の簡単な説明】
【００２９】
【図１】  本発明の一実施例に係る傘カバーの正面図
【図２】  被着した傘カバーを外す過程を示す一部を破断した正面図
【図３】  被着した傘カバーを外す過程を示す一部を破断した正面図
【図４】  巻付帯を巻着した被包袋が収納袋に収納された状態を示す一部を破断した拡大正面図
【図５】  圧接体の他例を示す断面図
【符号の説明】
【００３０】  １．．．．．傘カバー
２．．．．．被包袋
３．．．．．収納袋
４．．．．．巻付帯
５．．．．．傘
６．．．．．石つき
７．．．．．石つきカバー
８．．．．．圧接体
【図１】
2006280862.tif 000003
【図２】
2006280862.tif 000004
【図３】
2006280862.tif 000005
【図４】
2006280862.tif 000006
【図５】
2006280862.tif 000007